(57)【要約】【課題】  居住空間や収納空間を確保しつつデザイン性の高い壁を設置できる制震装置を提供する。【解決手段】  制震装置１１は、上梁１Ａと下梁１Ｂとの間に左，右方向に離間した左柱２Ａと右柱２Ｂとが設けられた構造物Ｓに適用されている。制震装置１１は、左柱２Ａおよび右柱２Ｂの間に位置する上部伝達部材１２および下部伝達部材１３と、上部伝達部材１２と下部伝達部材１３との間に設けられ、上部伝達部材１２および下部伝達部材１３の間の振動による相対変位を減衰するダンパ１５と、を備えている。上部伝達部材１２および下部伝達部材１３は、目視可能な状態で構造物Ｓの前側および後側に露出して設けられている。【選択図】        図１
2018066140.tif 000002
【特許請求の範囲】
【請求項１】
上梁と下梁との間に左，右方向に離間した左柱と右柱とが設けられた構造物に適用され、前記構造物の振動を吸収する制震装置であって、
前記左柱および前記右柱の間に設けられ、前記上梁の水平方向の振動が入力される上部伝達部材と、
前記上部伝達部材よりも下側に位置して前記左柱および前記右柱の間に設けられ、前記下梁の水平方向の振動が入力される下部伝達部材と、
前記上部伝達部材と前記下部伝達部材との間に設けられ、前記上部伝達部材および前記下部伝達部材の間の振動による相対変位を減衰するダンパと、を備え、
前記上部伝達部材および前記下部伝達部材は、目視可能な状態で前記構造物の前側および後側に露出していることを特徴とする制震装置。
【請求項２】
前記上部伝達部材および前記下部伝達部材は、家具を構成していることを特徴とする請求項１に記載の制震装置。
【請求項３】
前記ダンパは、目視可能な状態で前記構造物の前側および後側に露出していることを特徴とする請求項１または２に記載の制震装置。
【請求項４】
前記上部伝達部材および前記下部伝達部材は、収納部を構成していることを特徴とする請求項２に記載の制震装置。
【請求項５】
前記上部伝達部材および前記下部伝達部材は、化粧板を構成していることを特徴とする請求項２に記載の制震装置。
【発明の詳細な説明】
【技術分野】
【０００１】
本発明は、構造物の振動を吸収する制震装置に関する。
【背景技術】
【０００２】
一般に、住宅等の建物に用いられる従来の制震装置は、構造物の左，右の柱間に設けられる上部伝達部材と構造物の左，右の柱間に設けられる下部伝達部材との間にダンパを配置している。この場合、構造物の振動時に、上部伝達部材と下部伝達部材との間の相対変位が生じると、この相対変位によってダンパが伸縮動作を行う。これにより、制震装置は構造物の振動を吸収している（例えば、特許文献１参照）。
【先行技術文献】
【特許文献】
【０００３】
【特許文献１】特開２０１３−１３３６３５号公報
【発明の概要】
【発明が解決しようとする課題】
【０００４】
ところで、特許文献１による制震装置は、建物の外部（屋外）に面した構造物の外壁に位置して設けられている。この場合、特許文献１による制震装置は、その前，後に壁板が配置され、これら２枚の壁板内に内包された状態で取付けられている。一方、制震装置を建物の内部（屋内）に配置した構造物に設ける構成が考えられる。しかし、このような構成の場合、例えばデザイン性の高い１枚板からなる内壁や収納部を備えた内壁には適用が難しく、制震装置を適用するための別の壁を確保しなければならないという問題がある。また、制震装置を適用する別の壁を確保すると、屋内の開放感を低減してしまうという問題もある。
【０００５】
本発明は、上述した従来技術の問題に鑑みなされたもので、本発明の目的は、居住空間や収納空間を確保しつつデザイン性の高い壁を設置できる制震装置を提供することにある。
【課題を解決するための手段】
【０００６】
上述した課題を解決するために本発明による制震装置は、上梁と下梁との間に左，右方向に離間した左柱と右柱とが設けられた構造物に適用され、前記構造物の振動を吸収する制震装置であって、前記左柱および前記右柱の間に設けられ、前記上梁の水平方向の振動が入力される上部伝達部材と、前記上部伝達部材よりも下側に位置して前記左柱および前記右柱の間に設けられ、前記下梁の水平方向の振動が入力される下部伝達部材と、前記上部伝達部材と前記下部伝達部材との間に設けられ、前記上部伝達部材および前記下部伝達部材の間の振動による相対変位を減衰するダンパと、を備え、前記上部伝達部材および前記下部伝達部材は、目視可能な状態で前記構造物の前側および後側に露出していることを特徴としている。
【発明の効果】
【０００７】
本発明によれば、居住空間や収納空間を確保しつつデザイン性の高い壁を設置することができる。
【図面の簡単な説明】
【０００８】
【図１】第１の実施の形態による制震装置を示す斜視図である。
【図２】図１中の制震装置を前側から示す正面図である。
【図３】制震装置を図２中の矢示III−III方向からみた断面図である。
【図４】制震装置を図２中の矢示IV−IV方向からみた断面図である。
【図５】図４中のＶ部の拡大図である。
【図６】制震装置を建物の内部に配置した例を示す説明図である。
【図７】第２の実施の形態による制震装置を示す斜視図である。
【図８】図７中の制震装置を前側から示す正面図である。
【図９】第３の実施の形態による制震装置を示す斜視図である。
【図１０】図９中の制震装置を前側から示す正面図である。
【図１１】第４の実施の形態による制震装置を示す斜視図である。
【図１２】図１１中の制震装置を前側から示す正面図である。
【発明を実施するための形態】
【０００９】
以下、本発明の実施の形態に係る制震装置を、添付図面に従って詳細に説明する。
【００１０】
図１ないし図６は第１の実施の形態を示している。図１において、制震装置１１は、上梁１Ａ、下梁１Ｂ、左柱２Ａ、右柱２Ｂを備えた構造物Ｓに適用されている。ここで、制震装置１１が取付けられる構造物Ｓの建物Ｂとしては、例えば、新築または既に建設された木造建築物、軽量鉄骨住宅等である。この構造物Ｓは、図６に示すように、例えば建物Ｂの内部に位置して設けられている。具体的には、構造物Ｓの左，右方向と直交する前，後方向の両側は、屋内に位置している。この場合、上梁１Ａは、構造物Ｓの天井板（図示せず）を支持するように横架され、下梁１Ｂは、構造物Ｓの基礎（図示せず）に固定されている。また、上梁１Ａと下梁１Ｂとの間には、左，右方向に離間して左柱２Ａと右柱２Ｂとが起立している。
【００１１】
制震装置１１は、上梁１Ａ、下梁１Ｂ、左柱２Ａ、右柱２Ｂにより形成された空間内に位置して設けられている。この制震装置１１は、上部伝達部材１２、下部伝達部材１３、ダンパ１５等を有している。制震装置１１は、例えば、地震により水平方向（左，右方向）の振動が構造物Ｓに入力されると、ダンパ１５を用いて構造物Ｓの振動を吸収するものである。
【００１２】
上部伝達部材１２は、左柱２Ａと右柱２Ｂとの間に位置して、上梁１Ａから下方向に離間して設けられている。即ち、上部伝達部材１２と上梁１Ａとの間には、後述の隙間１８が設けられている。具体的には、上部伝達部材１２は、目視可能な状態で構造物Ｓの前側および後側に露出して設けられている。上部伝達部材１２は、左柱２Ａと右柱２Ｂとに固定される収納部１２Ａと、後述のダンパ１５が支持される平板部１２Ｂとを備えている。この上部伝達部材１２は、構造物Ｓの振動時に、左柱２Ａと右柱２Ｂとを通じて構造物Ｓの水平方向の振動が入力されるものである。
【００１３】
この場合、上部伝達部材１２の左，右方向の一端と左柱２Ａとの間には後述の上側のクリアランス１４が設けられ、上部伝達部材１２の左，右方向の他端と右柱２Ｂとの間には上側のクリアランス１４が設けられている。これにより、上部伝達部材１２に構造物Ｓの振動が入力される際に、上部伝達部材１２が左柱２Ａおよび右柱２Ｂと当接することはないので、構造物Ｓの振動を阻害することなくダンパ１５に向けて伝えることができる。
【００１４】
収納部１２Ａの左，右方向の一端には、左，右方向の外側に向けて突出し、後述の２枚のカバー板１７Ａの間に挿入される突出部材１２Ｃ１が設けられ、収納部１２Ａの左，右方向の他端には、左，右方向の外側に向けて突出し、２枚のカバー板１７Ａの間に挿入される突出部材１２Ｃ２が設けられている。また、突出部材１２Ｃ１には、複数のビス、ボルト等を介して左柱２Ａと固着される上側ブラケット１２Ｄ１が設けられ、突出部材１２Ｃ２には、複数のビス、ボルト等を介して右柱２Ｂと固着される上側ブラケット１２Ｄ２が設けられている（図４および図５参照）。
【００１５】
これにより、収納部１２Ａの上側は、上側ブラケット１２Ｄ１を介して左柱２Ａに固定され、上側ブラケット１２Ｄ２を介して右柱２Ｂに固定されている。また、収納部１２Ａの下端は、ボルトや接着等の締結手段を用いて平板部１２Ｂに連結されている。収納部１２Ａは、複数（例えば、２個）のボックスにより、吊戸棚状に形成されている。この収納部１２Ａは、家具を構成し、例えば雑誌、食器等の物品を収納するものである。
【００１６】
平板部１２Ｂの上端は、ボルトや接着等の締結手段を用いて収納部１２Ａの下端に連結され、平板部１２Ｂの下端は、後述の支持部材１６Ａを介してダンパ１５に接続されている。平板部１２Ｂは、構造用合板等を用いて四角形状に形成されている。平板部１２Ｂは、構造物Ｓの振動時に、上梁１Ａの水平方向の振動をダンパ１５に伝えるものである。この場合、平板部１２Ｂの左，右方向の一端は、２枚のカバー板１７Ａの間に挿入され、平板部１２Ｂの左，右方向の他端は、２枚のカバー板１７Ｂの間に挿入されている。
【００１７】
下部伝達部材１３は、左柱２Ａと右柱２Ｂとの間に位置して、下梁１Ｂから上方向に離間して設けられている。即ち、下部伝達部材１３と下梁１Ｂとの間には、後述の隙間１８が設けられている。具体的には、下部伝達部材１３は、目視可能な状態で構造物Ｓの前側および後側に露出して設けられている。下部伝達部材１３は、物品を収納する収納部１３Ａを構成している。この下部伝達部材１３は、構造物Ｓの振動時に、左柱２Ａと右柱２Ｂとを通じて構造物Ｓの水平方向の振動が入力されるものである。
【００１８】
この場合、下部伝達部材１３の左，右方向の一端と左柱２Ａとの間には下側のクリアランス１４が設けられ、下部伝達部材１３の左，右方向の他端と右柱２Ｂとの間には下側のクリアランス１４が設けられている。これにより、下部伝達部材１３に構造物Ｓの振動が入力される際に、下部伝達部材１３が左柱２Ａおよび右柱２Ｂと当接することはないので、構造物Ｓの振動を阻害することなくダンパ１５に向けて伝えることができる。
【００１９】
下部伝達部材１３の左，右方向の一端には、左，右方向の外側に向けて突出し、２枚のカバー板１７Ａの間に挿入される突出部材１３Ｂ１が設けられ、下部伝達部材１３の左，右方向の他端には、左，右方向の外側に向けて突出し、２枚のカバー板１７Ａの間に挿入される突出部材１３Ｂ２が設けられている。また、突出部材１３Ｂ１には、複数のビス、ボルト等を介して左柱２Ａと固着される下側ブラケット１３Ｃ１が設けられ、突出部材１３Ｂ２には、複数のビス、ボルト等を介して右柱２Ｂと固着される下側ブラケット１３Ｃ２が設けられている。
【００２０】
この場合、上側ブラケット１２Ｄ１，１２Ｄ２と下側ブラケット１３Ｃ１，１３Ｃ２とは、振動時のねじれを抑制するため、ダンパ１５から等間隔で設けることが好ましい。即ち、図２に示すように、上側ブラケット１２Ｄ１，１２Ｄ２とダンパ１５との上，下方向の間隔Ｌ1は、下側ブラケット１３Ｃ１，１３Ｃ２とダンパ１５との上，下方向の間隔Ｌ2と、同程度であることが好ましい。
【００２１】
これにより、下部伝達部材１３の下側は、下側ブラケット１３Ｃ１を介して左柱２Ａに固定され、下側ブラケット１３Ｃ２を介して右柱２Ｂに固定されている。また、収納部１３Ａの上端は、支持部材１６Ｂを介してダンパ１５に接続されている。収納部１３Ａは、一側に傾斜した複数の棚板と他側に傾斜した複数の棚板とが斜めに交差するように設けられていることにより、網目状に形成されている。この収納部１３Ａは、家具を構成し、例えばボトル等の物品を収納するものである。
【００２２】
クリアランス１４は、左柱２Ａおよび右柱２Ｂと上部伝達部材１２との間ならびに左柱２Ａおよび右柱２Ｂと下部伝達部材１３との間に位置して、合計４個設けられている。この場合、各クリアランス１４は、構造物Ｓの振動時に上部伝達部材１２および下部伝達部材１３が、左柱２Ａおよび右柱２Ｂに当接せず、左柱２Ａおよび右柱２Ｂの変位を阻害しないためのものである。
【００２３】
ダンパ１５は、上部伝達部材１２の下端と下部伝達部材１３の上端との間に介在して、目視可能な状態で構造物Ｓの前側および後側に露出して設けられている。このダンパ１５は、作動油が充填されたシリンダ１５Ａと、シリンダ１５Ａ内を摺動するピストン（図示せず）と、該ピストンに結合されたピストンロッド１５Ｂを有している。ピストンロッド１５Ｂの端部は、支持部材１６Ａを介して上部伝達部材１２の平板部１２Ｂと固定されている。また、反対側のシリンダ１５Ａの端部は、支持部材１６Ｂを介して下部伝達部材１３の収納部１３Ａと固定されている。これにより、ダンパ１５は、上部伝達部材１２および下部伝達部材１３の間の振動による相対変位を、ピストンに設けた減衰バルブによって減衰させる。
【００２４】
カバー板１７Ａは、左柱２Ａの内側（右柱２Ｂ側）に位置して、上梁１Ａと下梁１Ｂとの間に上，下方向に延びて２枚設けられている。具体的には、これらのカバー板１７Ａは、突出部材１２Ｃ１および突出部材１３Ｂ１を挟んで、前，後方向に離間した状態で互いに対面して設けられている（図４参照）。カバー板１７Ａは、収納部１２Ａの上側ブラケット１２Ｄ１および収納部１３Ａの下側ブラケット１３Ｃ１と左柱２Ａとの接続部分を覆うと共に、構造物Ｓの振動時に、上部伝達部材１２および下部伝達部材１３が前，後方向に揺れる（倒れる）のを抑制するものである。
【００２５】
カバー板１７Ｂは、右柱２Ｂの内側（左柱２Ａ側）に位置して、上梁１Ａと下梁１Ｂとの間に上，下方向に延びて２枚設けられている。具体的には、これらのカバー板１７Ｂは、突出部材１２Ｃ２および突出部材１３Ｂ２を挟んで、前，後方向に離間した状態で互いに対面して設けられている。カバー板１７Ｂは、収納部１２Ａの上側ブラケット１２Ｄ２および収納部１３Ａの下側ブラケット１３Ｃ２と右柱２Ｂとの接続部分を覆うと共に、構造物Ｓの振動時に、上部伝達部材１２および下部伝達部材１３が前，後方向に揺れる（倒れる）のを抑制するものである。
【００２６】
隙間１８は、上梁１Ａと上部伝達部材１２との間および下梁１Ｂと下部伝達部材１３との間に位置して、合計２個設けられている。この場合、各隙間１８は、構造物Ｓの振動時に、上部伝達部材１２および下部伝達部材１３が、上梁１Ａおよび下梁１Ｂに当接せず、上梁１Ａおよび下梁１Ｂの変位を阻害しないためのものである。
【００２７】
次に、制震装置１１を構造物Ｓに取付ける方法について説明する。
【００２８】
まず、制震装置１１を既存の構造物Ｓに取付ける前段階として、制震装置１１を組立てる。具体的には、上部伝達部材１２の平板部１２Ｂと下部伝達部材１３の収納部１３Ａとの間に、支持部材１６Ａ，１６Ｂを用いてダンパ１５を取付ける。なお、この場合、ダンパのシリンダまたはピストンロッドの何れか一方を伝達部材に取付けて制震装置を構造物に取付けた後に、ダンパのシリンダまたはピストンロッドの何れか他方を伝達部材に取付ける構成としてもよい。
【００２９】
次に、上部伝達部材１２の収納部１２Ａを、上側ブラケット１２Ｄ１を介して左柱２Ａに固定して、上側ブラケット１２Ｄ２を介して右柱２Ｂに固定する。この場合、左柱２Ａと上部伝達部材１２の一端との間および右柱２Ｂと上部伝達部材１２の他端との間に上側のクリアランス１４をそれぞれ設ける。また、上梁１Ａと上部伝達部材１２の上端との間に隙間１８を設ける。
【００３０】
最後に、下部伝達部材１３の収納部１３Ａを、下側ブラケット１３Ｃ１を介して左柱２Ａに固定して、下側ブラケット１３Ｃ２を介して右柱２Ｂに固定する。この場合、左柱２Ａと下部伝達部材１３の一端との間および右柱２Ｂと下部伝達部材１３の他端との間に下側のクリアランス１４をそれぞれ設ける。また、下梁１Ｂと下部伝達部材１３の下端との間に隙間１８を設ける。そして、カバー板１７Ａ，１７Ｂを、ボルトや接着等の締結手段を用いて左柱２Ａと右柱２Ｂとにそれぞれ取付ける。これにより、制震装置１１を構造物Ｓに取付ける作業が終了する。
【００３１】
本実施の形態による制震装置１１は、上述の如き構成を有するもので、次に、その作動について説明する。
【００３２】
制震装置１１が取付けられた構造物Ｓに、例えば地震等により水平方向の振動が入力されると、上梁１Ａおよび下梁１Ｂを介して左柱２Ａと右柱２Ｂとの間で水平方向の相対変位が生じる。左柱２Ａと右柱２Ｂとの間で生じた相対変位は、上部伝達部材１２、下部伝達部材１３を通じて、ダンパ１５に入力される。
【００３３】
このとき、上部伝達部材１２および下部伝達部材１３は、左柱２Ａと右柱２Ｂとの間に設けたクリアランス１４により、左柱２Ａと右柱２Ｂとの間の相対変位を阻害することはない。言い換えれば、クリアランス１４を設けたことにより、構造物Ｓの振動時に上部伝達部材１２および下部伝達部材１３が左柱２Ａおよび右柱２Ｂに当接しないので、上梁１Ａおよび下梁１Ｂを変位し易くする。
【００３４】
また、上部伝達部材１２および下部伝達部材１３は、上梁１Ａと下梁１Ｂとの間に設けた隙間１８により、上梁１Ａと下梁１Ｂとの間の相対変位を阻害することはない。言い換えれば、隙間１８を設けたことにより、構造物Ｓの振動時に上部伝達部材１２および下部伝達部材１３が上梁１Ａと下梁１Ｂとに当接しないので、上梁１Ａおよび下梁１Ｂを変位し易くする。
【００３５】
これにより、上梁１Ａおよび下梁１Ｂに生じた水平方向の振動は、変位が阻害されることなく左柱２Ａ、右柱２Ｂ、上部伝達部材１２（収納部１２Ａ、平板部１２Ｂ、突出部材１２Ｃ１，１２Ｃ２、上側ブラケット１２Ｄ１，１２Ｄ２）、下部伝達部材１３（収納部１３Ａ、突出部材１３Ｂ１，１３Ｂ２、下側ブラケット１３Ｃ１，１３Ｃ２）を通じて、ダンパ１５に入力される。ダンパ１５は、シリンダ１５Ａ内をピストンが摺動することにより減衰力を発生して、振動エネルギを吸収する。
【００３６】
かくして、第１の実施の形態によれば、制震装置１１は、左柱２Ａおよび右柱２Ｂの間に位置する上部伝達部材１２および下部伝達部材１３と、上部伝達部材１２と下部伝達部材１３との間に位置するダンパ１５とを備え、上部伝達部材１２および下部伝達部材１３は、目視可能な状態で構造物Ｓの前側および後側に露出している構成としている。これにより、制震装置１１を適用するための壁を確保することなく、例えばデザイン性の高い１枚板からなる内壁や収納部を備えた内壁に制震装置１１を適用することができる。この結果、建物Ｂ内の居住空間や収納空間を損なわずに、制震装置１１を適用したデザイン性の高い壁を設置することができるので、建物Ｂ内に美感や開放感を与えることができる。
【００３７】
また、上部伝達部材１２および下部伝達部材１３は、家具としての収納部１２Ａ，１３Ａをそれぞれ有している。これにより、伝達部材自体を収納空間とすることができるので、建物Ｂの内部に制震装置１１を配置する場合でも、居住空間や収納空間を確保することができる。
【００３８】
また、ダンパ１５は、目視可能な状態で構造物Ｓの前側および後側に露出する構成としている。これにより、構造物Ｓにダンパ１５が設置されているのが分かるので、建物Ｂに対する安心感を与えることができる。
【００３９】
また、上部伝達部材１２および下部伝達部材１３を目視可能な状態で構造物Ｓに取付けているので、制震装置１１を、その前，後に設けられた２枚の壁板内に内包することなく、構造物Ｓに取付けることができる。この結果、制震装置１１の設置作業が容易となり設置コストを抑制することができる。
【００４０】
次に、図７および図８は、本発明の第２の実施の形態を示している。第２の実施の形態の特徴は、下部伝達部材の収納部を箱型状の収納にしたことにある。なお、第２の実施の形態では、前述した第１の実施の形態と同一の構成については同一の符号を付し、その説明は省略する。
【００４１】
制震装置２１は、第１の実施の形態の制震装置１１と同様に、上部伝達部材１２、下部伝達部材２２、ダンパ１５等を有している。
【００４２】
下部伝達部材２２は、左柱２Ａと右柱２Ｂとの間に位置して、下梁１Ｂから上方向に離間して設けられている。即ち、下部伝達部材２２と下梁１Ｂとの間には、隙間１８が設けられている。具体的には、下部伝達部材２２は、第１の実施の形態の下部伝達部材１３と同様に、目視可能な状態で構造物Ｓの前側および後側に露出して設けられている。下部伝達部材２２は、物品が収納される収納部２２Ａを構成している。この下部伝達部材２２は、構造物Ｓの振動時に、左柱２Ａおよび右柱２Ｂを通じて構造物Ｓの水平方向の振動が入力されるものである。
【００４３】
ここで、収納部２２Ａは、前面に開閉式の扉２２Ａ１が設けられた箱型状に形成されている。この収納部２２Ａは、家具を構成し、例えば雑誌等の物品を収納するものである。
【００４４】
下部伝達部材２２の左，右方向の一端には、左，右方向の外側に向けて突出し、２枚のカバー板１７Ａの間に挿入される突出部材２２Ｂ１が設けられ、下部伝達部材１３の左，右方向の他端には、左，右方向の外側に向けて突出し、２枚のカバー板１７Ａの間に挿入される突出部材２２Ｂ２が設けられている。また、突出部材２２Ｂ１には、複数のビス、ボルト等を介して左柱２Ａと固着される下側ブラケット２２Ｃ１が設けられ、突出部材２２Ｂ２には、複数のビス、ボルト等を介して右柱２Ｂと固着される下側ブラケット２２Ｃ２が設けられている。
【００４５】
この場合、第１の実施の形態の制震装置１１と同様に、上側ブラケット１２Ｄ１，１２Ｄ２と下側ブラケット２２Ｃ１，２２Ｃ２とは、振動時のねじれを抑制するため、ダンパ１５から等間隔で設けることが好ましい。
【００４６】
これにより、下部伝達部材２２の下側は、下側ブラケット２２Ｃ１を介して左柱２Ａに固定され、下側ブラケット２２Ｃ２を介して右柱２Ｂに固定されている。また、収納部２２Ａの上端は、支持部材１６Ｂを介してダンパ１５に接続されている。
【００４７】
かくして、第２の実施の形態でも、第１の実施の形態とほぼ同様な作用効果を得ることができる。第２の実施の形態によれば、下部伝達部材２２は、前面に開閉式の扉２２Ａ１が設けられた箱型状の収納部２２Ａを有している。これにより、収納部２２Ａに収納したものを扉２２Ａ１により隠すことができるので、建物Ｂ内の乱雑さを抑制することができる。
【００４８】
次に、図９および図１０は、本発明の第３の実施の形態を示している。第３の実施の形態の特徴は、上部伝達部材および下部伝達部材に化粧板を用いたことにある。なお、第３の実施の形態では、前述した第１の実施の形態と同一の構成については同一の符号を付し、その説明は省略する。
【００４９】
制震装置３１は、第１の実施の形態の制震装置１１と同様に、上部伝達部材３２、下部伝達部材３３、ダンパ１５等を有している。
【００５０】
上部伝達部材３２は、左柱２Ａと右柱２Ｂとの間に位置して、上梁１Ａと支持部材１６Ａとに固定して設けられている。具体的には、上部伝達部材３２は、第１の実施の形態の上部伝達部材１２と同様に、目視可能な状態で構造物Ｓの前側および後側に露出して設けられている。この上部伝達部材３２は、構造用合板等により四角形状に形成され、複数の貫通穴３２Ａが設けられている。上部伝達部材３２は、構造物Ｓの振動時に、上梁１Ａと左柱２Ａおよび右柱２Ｂとを通じて構造物Ｓの水平方向の振動が入力されるものである。
【００５１】
ここで、複数の貫通穴３２Ａは、上部伝達部材３２に不規則に配置され、大きさが異なった四角形状に形成されることにより、上部伝達部材３２に穴あき模様からなる意匠を施している。これにより、上部伝達部材３２は、化粧板を構成している。
【００５２】
この場合、上部伝達部材３２の左，右方向の一端は、２枚のカバー板１７Ａの間に挿入され、上部伝達部材３２の左，右方向の他端は、２枚のカバー板１７Ｂの間に挿入されている。また、上部伝達部材３２の左，右方向の一端の上側は、上側ブラケット３２Ｂ１を介して左柱２Ａと固着されている。一方、上部伝達部材３２の左，右方向の他端の上側は、上側ブラケット３２Ｂ２を介して右柱２Ｂと固着されている。
【００５３】
これにより、上部伝達部材３２の上側は、上側ブラケット３２Ｂ１を介して左柱２Ａに固定され、上側ブラケット３２Ｂ２を介して右柱２Ｂに固定されている。また、上部伝達部材３２の下端は、支持部材１６Ａを介してダンパ１５に接続されている。
【００５４】
下部伝達部材３３は、左柱２Ａと右柱２Ｂとの間に位置して、下梁１Ｂと支持部材１６Ｂとに固定して設けられている。具体的には、下部伝達部材３３は、第１の実施の形態の下部伝達部材１３と同様に、目視可能な状態で構造物Ｓの前側および後側に露出して設けられている。この下部伝達部材３３は、構造用合板等により四角形状に形成され、模様３３Ａがあしらわれている。下部伝達部材３３は、構造物Ｓの振動時に、下梁１Ｂと左柱２Ａおよび右柱２Ｂとを通じて構造物Ｓの水平方向の振動が入力されるものである。
【００５５】
ここで、模様３３Ａは、複数の多角形状の図柄が下部伝達部材３３上に不規則に配置されることにより、下部伝達部材３３に幾何学的な模様からなる意匠を施している。これにより、下部伝達部材３３は、化粧板を構成している。
【００５６】
この場合、下部伝達部材３３の左，右方向の一端は、２枚のカバー板１７Ａの間に挿入され、下部伝達部材３３の左，右方向の他端は、２枚のカバー板１７Ｂの間に挿入されている。また、下部伝達部材３３の左，右方向の一端の下側は、下側ブラケット３３Ｂ１を介して左柱２Ａと固着されている。一方、下部伝達部材３３の左，右方向の他端の下側は、下側ブラケット３３Ｂ２を介して右柱２Ｂと固着されている。
【００５７】
この場合、第１の実施の形態の制震装置１１と同様に、上側ブラケット３２Ｂ１，３２Ｂ２と下側ブラケット３３Ｂ１，３３Ｂ２とは、振動時のねじれを抑制するため、ダンパ１５から等間隔で設けることが好ましい。
【００５８】
これにより、下部伝達部材３３の下側は、下側ブラケット３３Ｂ１を介して左柱２Ａに固定され、下側ブラケット３３Ｂ２を介して右柱２Ｂに固定されている。また、下部伝達部材３３の上端は、支持部材１６Ｂを介してダンパ１５に接続されている。
【００５９】
かくして、第３の実施の形態でも、第１の実施の形態とほぼ同様な作用効果を得ることができる。第３の実施の形態によれば、上部伝達部材３２は貫通穴３２Ａにより化粧板を構成し、下部伝達部材３３は模様３３Ａにより化粧板を構成している。これにより、制震装置３１に美感を与え、制震装置３１をインテリアやディスプレイとして利用することができる。
【００６０】
次に、図１１および図１２は、本発明の第４の実施の形態を示している。第４の実施の形態の特徴は、上部伝達部材に化粧板を用いると共に、下部伝達部材に家具としての収納部を用いたことにある。なお、第４の実施の形態では、前述した第１の実施の形態と同一の構成については同一の符号を付し、その説明は省略する。
【００６１】
制震装置４１は、第１の実施の形態の制震装置１１と同様に、上部伝達部材４２、下部伝達部材４３、ダンパ１５等を有している。
【００６２】
上部伝達部材４２は、左柱２Ａと右柱２Ｂとの間に位置して、上梁１Ａと支持部材１６Ａとに固定して設けられている。具体的には、上部伝達部材４２は、第１の実施の形態の上部伝達部材１２と同様に、目視可能な状態で構造物Ｓの前側および後側に露出して設けられている。この上部伝達部材４２は、構造用合板等により四角形状に形成され、一側下端の角隅部および他側上端の角隅部に切欠き４２Ａがそれぞれ設けられている。上部伝達部材４２は、構造物Ｓの振動時に、上梁１Ａと左柱２Ａおよび右柱２Ｂとを通じて構造物Ｓの水平方向の振動が入力されるものである。
【００６３】
ここで、切欠き４２Ａは、上部伝達部材４２の一側下端の角隅部および他側上端の角隅部を円弧状（扇状）に切欠くことにより形成され、上部伝達部材４２に対称的な形状からなる意匠を施している。これにより、上部伝達部材４２は、化粧板を構成している。
【００６４】
この場合、上部伝達部材４２の左，右方向の一端は、２枚のカバー板１７Ａの間に挿入され、上部伝達部材４２の左，右方向の他端は、カバー板１７Ｂの間に挿入されている。また、上部伝達部材４２の左，右方向の一端の上側は、上側ブラケット４２Ｂ１を介して左柱２Ａと固着されている。一方、上部伝達部材４２の左，右方向の他端の上側は、上側ブラケット４２Ｂ２を介して右柱２Ｂと固着されている。
【００６５】
これにより、上部伝達部材４２の上側は、上側ブラケット４２Ｂ１を介して左柱２Ａに固定され、上側ブラケット４２Ｂ２を介して右柱２Ｂに固定されている。また、上部伝達部材４２の下端は、支持部材１６Ａを介してダンパ１５に接続されている。
【００６６】
下部伝達部材４３は、左柱２Ａと右柱２Ｂとの間に位置して、下梁１Ｂから上方向に離間して設けられている。即ち、下部伝達部材４３と下梁１Ｂとの間には、隙間１８が設けられている。具体的には、下部伝達部材４３は、第１の実施の形態の下部伝達部材１３と同様に、目視可能な状態で構造物Ｓの前側および後側に露出して設けられている。下部伝達部材４３は、物品を収納する収納部４３Ａを備えている。この下部伝達部材４３は、構造物Ｓの振動時に、左柱２Ａおよび右柱２Ｂを通じて構造物Ｓの水平方向の振動が入力されるものである。
【００６７】
ここで、収納部４３Ａは、前面が開口された箱型状に形成されている。この収納部４３Ａは、家具を構成し、例えば、ボトル、雑誌等の物品を収納するものである。
【００６８】
下部伝達部材４３の左，右方向の一端には、左，右方向の外側に向けて突出し、２枚のカバー板１７Ａの間に挿入される突出部材４３Ｂ１が設けられ、下部伝達部材４３の左，右方向の他端には、左，右方向の外側に向けて突出し、２枚のカバー板１７Ａの間に挿入される突出部材４３Ｂ２が設けられている。また、突出部材４３Ｂ１には、複数のビス、ボルト等を介して左柱２Ａと固着される下側ブラケット４３Ｃ１が設けられ、突出部材４３Ｂ２には、複数のビス、ボルト等を介して右柱２Ｂと固着される下側ブラケット４３Ｃ２が設けられている。
【００６９】
この場合、第１の実施の形態の制震装置１１と同様に、上側ブラケット４２Ｂ１，４２Ｂ２と下側ブラケット４３Ｃ１，４３Ｃ２とは、振動時のねじれを抑制するため、ダンパ１５から等間隔で設けることが好ましい。
【００７０】
これにより、下部伝達部材４３の下側は、下側ブラケット４３Ｃ１を介して左柱２Ａに固定され、下側ブラケット４３Ｃ２を介して右柱２Ｂに固定されている。また、下部伝達部材４３の上端は、支持部材１６Ｂを介してダンパ１５に接続されている。
【００７１】
かくして、第４の実施の形態でも、第１の実施の形態とほぼ同様な作用効果を得ることができる。第４の実施の形態によれば、上部伝達部材４２は切欠き４２Ａにより化粧板を構成し、下部伝達部材４３は収納部４３Ａを有している。これにより、制震装置４１に美感を与えると共に、収納空間を確保することができる。
【００７２】
なお、前記第１の実施の形態では、上部伝達部材１２および下部伝達部材１３は、家具としての収納部１２Ａ，１３Ａをそれぞれ形成する構成とした。しかし、本発明はこれに限らず、例えば上部伝達部材および下部伝達部材を、机、椅子等の収納部以外の家具を用いる構成としてもよい。このことは、第２の実施の形態についても同様である。
【００７３】
また、前記第１の実施の形態では、ダンパ１５は、目視可能な状態で構造物Ｓの前側および後側に露出する構成とした。しかし、本発明はこれに限らず、例えばダンパを化粧板等により覆って、構造物Ｓに内包する構成としてもよい。このことは、第２，第３，第４の実施の形態についても同様である。
【００７４】
また、前記第３の実施の形態では、上部伝達部材３２および下部伝達部材３３は、化粧板をそれぞれ形成する構成とした。しかし、本発明はこれに限らず、例えば上部伝達部材および下部伝達部材を、机、椅子等の化粧板以外の家具を用いる構成としてもよい。
【００７５】
また、前記第１の実施の形態では、上部伝達部材１２と上梁１Ａとの間に隙間１８を設け、下部伝達部材１３と下梁１Ｂとの間に隙間１８を設ける構成とした。しかし、本発明はこれに限らず、例えば、上部伝達部材と上梁との間に隙間を設けることなく上部伝達部材と上梁とを固定し、下部伝達部材と下梁との間に隙間を設けることなく下部伝達部材と下梁とを固定する構成としてもよい。このことは、第２の実施の形態についても同様である。
【００７６】
また、前記第４の実施の形態では、下部伝達部材４３と下梁１Ｂとの間に隙間１８を設ける構成とした。しかし、本発明はこれに限らず、例えば、下部伝達部材と下梁との間に隙間を設けることなく下部伝達部材と下梁とを固定する構成としてもよい。
【００７７】
さらに、前記各実施の形態は例示であり、異なる実施の形態で示した構成の部分的な置換または組合わせが可能であることは言うまでもない。
【００７８】
以上説明した実施形態に基づく制震装置として、例えば、以下に述べる態様のものが考えられる。
【００７９】
制震装置の第１の態様としては、上梁と下梁との間に左，右方向に離間した左柱と右柱とが設けられた構造物に適用され、前記構造物の振動を吸収する制震装置であって、前記左柱および前記右柱の間に設けられ、前記上梁の水平方向の振動が入力される上部伝達部材と、前記上部伝達部材よりも下側に位置して前記左柱および前記右柱の間に設けられ、前記下梁の水平方向の振動が入力される下部伝達部材と、前記上部伝達部材と前記下部伝達部材との間に設けられ、前記上部伝達部材および前記下部伝達部材の間の振動による相対変位を減衰するダンパと、を備え、前記上部伝達部材および前記下部伝達部材は、目視可能な状態で前記構造物の前側および後側に露出していることを特徴としている。これにより、居住空間や収納空間を確保しつつデザイン性の高い壁を設置することができる。
【００８０】
制震装置の第２の態様としては、第１の態様において、前記上部伝達部材および前記下部伝達部材は、家具を構成していることを特徴としている。これにより、居住空間や収納空間を確保することができる。
【００８１】
制震装置の第３の態様としては、第１または第２の態様において、前記ダンパは、目視可能な状態で前記構造物の前側および後側に露出していることを特徴としている。これにより、構造物Ｓにダンパが設置されているのが分かるので、建物に対する安心感を与えることができる。
【００８２】
制震装置の第４の態様としては、第２の態様において、前記上部伝達部材および前記下部伝達部材は、収納部を構成していることを特徴としている。これにより、居住空間や収納空間を確保することができる。
【００８３】
制震装置の第５の態様としては、第２の態様において、前記上部伝達部材および前記下部伝達部材は、化粧板を構成していることを特徴としている。これにより、制震装置に美感を与え、制震装置をインテリアやディスプレイとして利用することができる。
【符号の説明】
【００８４】
１Ａ  上梁
１Ｂ  下梁
２Ａ  左柱
２Ｂ  右柱
１１，２１，３１，４１  制震装置
１２  上部伝達部材
１２Ａ，２２Ａ  収納部（家具）
１３，２２，４３  下部伝達部材
１３Ａ，４３Ａ  収納部（家具）
１５  ダンパ
３２，４２  上部伝達部材（化粧板）
３３  下部伝達部材（化粧板）
【図１】
2018066140.tif 000003
【図２】
2018066140.tif 000004
【図３】
2018066140.tif 000005
【図４】
2018066140.tif 000006
【図５】
2018066140.tif 000007
【図６】
2018066140.tif 000008
【図７】
2018066140.tif 000009
【図８】
2018066140.tif 000010
【図９】
2018066140.tif 000011
【図１０】
2018066140.tif 000012
【図１１】
2018066140.tif 000013
【図１２】
2018066140.tif 000014